(57)【要約】【課題】施工性と気密性を向上させた換気装置を提供する。【解決手段】底面に吸込口４と一側面に吹出口５と一側面に隣接する隣接側面にガイド部材２１が貫通する貫通孔１２とを有する箱体１と、ファンケース７に内蔵されるファン９を有し吸込口４から吹出口５に空気を導く送風部２と、箱体１の天面側から底面側に向かってスライドすることによりガイド部材２１にガイドされ一側面に対向して箱体１に固定されるアダプター３と、を備え、ファンケース７は、貫通孔１２を貫通して箱体１の外周側に突出することでガイド部材２１として機能する突起部２１ｂを備えた換気装置。【選択図】図３
2020046150.tif 000002
【特許請求の範囲】
【請求項１】
底面に吸込口と一側面に吹出口と前記一側面に隣接する隣接側面にガイド部材が貫通する貫通孔とを有する箱体と、
ファンケースに内蔵されるファンを有し前記吸込口から前記吹出口に空気を導く送風部と、
前記箱体の天面側から前記底面側に向かってスライドすることにより前記ガイド部材にガイドされ前記一側面に対向して前記箱体に固定されるアダプターと、を備え、
前記ファンケースは、
前記貫通孔を貫通して前記箱体の外周側に突出することで前記ガイド部材として機能する突起部を備えた換気装置。
【請求項２】
前記アダプターは、
凹形状を有し前記突起部によりガイドされるガイド部を備え、
前記突起部は、
前記貫通孔を前記突起部が貫通している状態において前記凹形状における凹みの内周壁に接触して前記アダプターの前記ガイド部をガイドする換気装置。
【請求項３】
前記ファンケースは、
前記吹出口を形成する本体部と、
前記突起部と前記本体部とを接続する接続部と、
前記突起部と前記本体部との間に形成される空間と、を備え、
前記突起部は、
前記接続部から前記天面方向に延設され前記空間方向から前記隣接側面方向への弾性を有する直線部と、
前記直線部の先端近傍から前記隣接側面に向けて突出し前記貫通孔を貫通した状態で前記アダプターをガイドする湾曲部と、を備える請求項１または２記載の換気装置。
【請求項４】
前記湾曲部は、
前記天面側の先端部から前記接続部側に向けて漸次前記隣接側面側への膨出が大きくなる上部曲面を備える請求項３に記載の換気装置。
【請求項５】
前記湾曲部は、
前記膨出が最大となる頂部よりさらに前記接続部側に向けて漸次前記隣接側面側への膨出が小さくなる下部曲面を備える請求項４に記載の換気装置。
【請求項６】
前記貫通孔は、
前記箱体の隣接側面における前記一側面側端部に設けられた請求項１から５のいずれか１項に記載の換気装置。
【請求項７】
前記ファンケースは、
前記箱体における高さ方向の中央より下部で前記箱体に固定され、
前記貫通孔は、
前記箱体の隣接側面における前記一側面側端部であって前記箱体における高さ方向の中央より上部に設けられた請求項１から６のいずれかに記載の換気装置。
【発明の詳細な説明】
【技術分野】
【０００１】
本発明は、建物の天井等に設置される換気装置に関するものである。
【背景技術】
【０００２】
従来の換気装置として、天井裏への施工が容易にできるように、箱体とアダプターが分離した構造が知られている（例えば、特許文献１を参照）。
【０００３】
従来の換気装置について、図６を参照しながら説明する。
【０００４】
従来の換気装置は、建物の天井等に設置され、底面に開口部を有し、一側面に吹出口を有する箱体１０１内に下面の開口部から吹出口への気流を形成する送風機１０２を組み込んだものである。
【０００５】
換気装置の施工は、大きく分類して、換気装置を天井裏に設置した後に天板を取り付ける工法と、既存の天井に換気装置を取り付ける工法（レトロフィット）とがある。
【０００６】
レトロフィットでは、まず、アダプター１０３を天井裏に先付けする。続いて箱体１０１の天面側から底面側までを、先付けされたアダプター１０３に挿入する。これにより、天板に設けた小さい開口にて設置が可能である。レトロフィットは、既存の環境に追加して換気装置を導入できるため、様々な状況に対応可能である。
【先行技術文献】
【特許文献】
【０００７】
【特許文献１】特開２０１８―２１７３９号公報
【発明の概要】
【発明が解決しようとする課題】
【０００８】
しかしながら、レトロフィットでは天板が薄く弱い場合、施工が難しくなる。つまり、天板に先付けされたアダプター１０３は空気の通り道となるダクトが接続されるため、アダプター１０３にはダクトの荷重が掛かり、天板が薄く弱い場合、ダクト側に傾いた状態となる。そして、天板の小さい開口には、箱体１０１をダクトの傾きに合わせて挿入することはできないため、箱体１０１を傾いたアダプター１０３に正しく係合させることができない場合がある。
【０００９】
また、係合できた場合であっても、上述のようにレトロフィットではアダプター１０３と箱体１０１とは独立している。このため、アダプター１０３と箱体１０１との間には、ダクトの荷重に基づく隙間が発生し、気密性が損なわれてしまうという課題があった。
【００１０】
そこで本発明は、アダプターと箱体とが独立して構成された換気装置において、施工性の改善と共に、気密性を高めた換気装置を提供することを目的とする。
【課題を解決するための手段】
【００１１】
本発明の一態様に係る換気装置は、底面に吸込口と一側面に吹出口と前記一側面に隣接する隣接側面にガイド部材が貫通する貫通孔とを有する箱体と、ファンケースに内蔵されるファンを有し前記吸込口から前記吹出口に空気を導く送風部と、前記箱体の天面側から前記底面側に向かってスライドすることにより前記ガイド部材にガイドされ前記一側面に対向して前記箱体に固定されるアダプターと、を備え、前記ファンケースは、前記貫通孔を貫通して前記箱体の外周側に突出することで前記ガイド部材として機能する突起部を備えた構成とすることにより、所期の目的を達成するものである。
【発明の効果】
【００１２】
本発明によれば、アダプターと箱体とが独立して構成された換気装置において、施工性を改善すると共に、気密性を高めることができる。
【図面の簡単な説明】
【００１３】
【図１】本発明に係る換気装置の分解斜視図。
【図２】換気装置の下面図。
【図３】箱体と送風部の分解斜視図。
【図４】突起部近傍の正面図。
【図５】突起部近傍の斜視図。
【図６】従来の換気装置の構造を示した詳細図。
【発明を実施するための形態】
【００１４】
以下、添付図面を参照して本発明の実施の形態につき説明し、本発明の理解に供する。なお、以下の実施の形態は、本発明を具体化した一例であって、本発明の技術的範囲を限定するものではない。また、全図面を通して、同一の部位については同一の符号を付して二度目以降の説明を省略している。
【００１５】
（実施の形態１）
まず、図１、図２及び図３を参照しながら、本実施の形態に係る換気装置３０の構成について説明する。なお図１は、本実施の形態に係る換気装置３０の分解斜視図、図２は、換気装置３０の下面図である。
【００１６】
図１及び図２に示すように、本発明に係る換気装置３０は、箱体１と、送風部２と、アダプター３とを備えている。図３は、送風部２を構成するファンケース７と箱体１の分解斜視図である。
【００１７】
箱体１は、少なくとも一面が開口された箱型の形状であり、材料は金属または樹脂である。箱体１は、吸込口４と、吹出口５と、貫通孔１２と、を備える。
【００１８】
吸込口４は、換気装置３０の下面を天井板の面に一致させて天井に設置した状態において、天井から地面方向、つまり鉛直下方に向いた面である。そしてこの面が、箱体１の開口に該当する。箱体１内部への吸気は図示しない二重格子構造の意匠パネルを介して行われる。
【００１９】
吹出口５は、吸込口４が設けられた底面に隣接しているいずれか１つの一側面に、開口として設けられる。
【００２０】
貫通孔１２は、隣接側面１ａにおける一側面側（吹出口５側）端部に設けられる。具体的には、貫通孔１２は、吹出口５が設けられた一側面に隣接する隣接側面１ａにおける高さ方向の中央よりも上方、つまり天面側に設けられる。貫通孔１２から、アダプター３を箱体１にガイドする湾曲部２２が突出する構成であるが詳細は後述する。
【００２１】
吸込口４と吹出口５とは、箱体１の内部で連通されており、この連通された風路が排気風路６を構成する。
【００２２】
送風部２は、排気風路６中に配置され、吸込口４から吹出口５に空気を導く。送風部２は、ファンケース７と、モーター８と、ファン９とを備える。
【００２３】
ファンケース７は、送風部２の外郭を形成し、材質は樹脂である。ファンケース７は、略円筒形を有し、下面に位置する底面に空気を吸い込むための開口が、側面には空気を排出するための開口が備えられる。ファンケース７は、底面の開口が吸込口４と近接し、側面の開口が吹出口５と連結されている。ファンケース７は、略円筒形における側断面が円形スクロール形状を有する。ファンケース７は、底面の開口にオリフィス部１５を備える。ファンケース７は、箱体１における高さ方向の中央より下部で箱体１に固定される。
【００２４】
モーター８は、ファンケース７の内部空間における天面側に配置され、モーターサポート１１の央部付近に、ネジ等の固定手段で取り付けられる。モーター８は、ファンケース７の底面に向けて突出する回転軸を備えている。モーター８は、給電により回転軸を回転させる。モーター８への電力供給は、図示しない電装基板を介して行われる。
【００２５】
ファン９は、回転軸に固定された例えばシロッコファンである。ファン９は、モーター８が起動した際、回転軸が回転することで起動し、空気の移動が行われる。つまり、送風部２の駆動により、吸込口４から吹出口５に空気が導かれる。
【００２６】
電装基板は、箱体１内に設けられた電装基板ケース１０に格納され、ファンケース７の外郭に近い側に、図示しないネジ等の固定手段で取り付けられる。
【００２７】
電装基板ケース１０は、難燃樹脂製の電装基板ベース１０ａと、同じく難燃樹脂製の電装基板カバー１０ｂからなる。電装基板は電装基板ベース１０ａにネジ等の固定手段で取り付けられる。また、電装基板カバー１０ｂは電装基板ベース１０ａにネジ等の固定手段で取り付けられる。
【００２８】
オリフィス部１５は、ファンケース７の吸込口４に形成され、円筒形を有し、中央部分が開口されている。オリフィス部１５は、空気の流れ方向から見た送風部２の上流に位置し、材質は樹脂である。なお、オリフィス部１５は、ファンケース７と別部品であっても良い。その場合、ファンケース７の開口部と部品開口部底面を、ネジ等の固定手段で取り付ける。ファンケース７は、前記箱体１における高さ方向の中央より下部で固定される。ファンケース７は、吹出口５近傍にガイド部材２１を一体成型で備える。
【００２９】
アダプター３は、箱体１の一側面であって、吹出口５の下流側に設けられる。アダプター３は、アダプタープレート１３と、ダクト接続部１４とを備える。
【００３０】
アダプタープレート１３は、箱体１の一側面と略同一サイズの平面板であり、材質は金属または樹脂である。アダプタープレート１３は、箱体１の吹出口５が設けられた一側面の下流側に設けられる。アダプタープレート１３は、一側面にガイド部３ａともう一側面にアダプター側端部３ｂとを備える。
【００３１】
ガイド部３ａとアダプター側端部３ｂは、図１における簡易上面図４０に示すように、例えばアダプタープレート１３の側面を二箇所折り曲げて構成される。ガイド部３ａは、アダプタープレート１３の平面の端部である両側辺から、隣接側面１ａの方向に、隣接側面１ａとは平行に延設され、さらに延設先端から隣接側面１ａ側に延設される。つまり、ガイド部３ａは、アダプター３の上面視（図１における上方から見た状態）において、凹形状４１を有する。ガイド部３ａは、隣接側面１ａに設けられたガイド部材２１を凹形状４１における凹みの内周壁に接触させて、上下方向にガイドすることで、箱体１がアダプター３にガイドされる。言い換えると、ガイド部３ａとガイド部材２１との摺動構造により、箱体１がアダプター３を上下方向にガイドする。
【００３２】
ダクト接続部１４は、アダプタープレート１３から下流側に向けて立設し、上流側は矩形であり下流側は円筒形状を有する。ダクト接続部１４は、内部空間を吹出口５と接続され、箱体１の内部から吹き出される排気を誘導する。ダクト接続部１４は、例えば屋内と屋外とを連通するダクトの屋内側端部が接続されることにより、換気装置３０の排気が屋外に排出可能となる。
【００３３】
続いて、図１、図３、図４、図５を参照しながら、ファンケース７の突起部２１ｂ近傍の詳細構造について説明する。なお、図４は、突起部近傍の正面図である。図５は、突起部近傍の斜視図である。
【００３４】
ファンケース７は、本体部７ａと、接続部２１ａと、突起部２１ｂと、に分類される。
【００３５】
本体部７ａは、吹出口５を形成する。本体部７ａは、ファン９を内包する。本体部７ａは、上述したオリフィス部１５を含む。
【００３６】
接続部２１ａは、本体部７ａと突起部２１ｂとを接続する部分である。接続部２１ａは、例えば吹出口５端部から、隣接側面１ａに平行になるように延設される。つまり、接続部２１ａは吹出口５の下面視（図１における下方から見た状態）において、吹出口５端部に垂直に延設される。
【００３７】
突起部２１ｂは、弾力性を有する樹脂で、本体部７ａと一体形成されている。突起部２１ｂは、箱体１の貫通孔１２を貫通して、箱体１の外周側に突出することで、ガイド部材として機能する。
【００３８】
突起部２１ｂと本体部７ａとの間には、図５に示すように、空間２４を有する。具体的には、本体部７ａと接続部２１ａおよび突起部２１ｂで形成される辺のうち突起部２１ｂの辺を取り除いた形状となっている。すなわち、突起部２１ｂと本体部７ａとは離間している。
【００３９】
突起部２１ｂはさらに以下の要素に分けられる。接続部２１ａから天面方向に延設され隣接側面方向への弾性を有する直線部２３と、直線部２３の先端近傍から隣接側面に向けて突出し貫通孔１２を貫通した状態でアダプター３をガイドする湾曲部２２、とに分けられる。つまり、突起部２１ｂの各要素は吹出口５近傍の下面視において、直線部２３はアダプタープレート１３に対し垂直に延設され、湾曲部２２はアダプタープレート１３に対し平行に延設される。
【００４０】
湾曲部２２は、図４のように天面側の先端部から接続部２１ａに向けて漸次隣接側面側への膨出が大きくなる上部曲面２２ａと、膨出が最大となる頂部よりさらに接続部２１ａに向けて漸次隣接側面側への膨出が小さくなる下部曲面２２ｂを備える。すなわち湾曲部２２は先端部から接続部２１ａ側に向かうにつれて吹出口５から離れるように高さが増していき、頂部において膨出が最大となり、頂部から接続部２１ａに向かうにつれて吹出口５に近づくように高さが小さくなる形状である。
【００４１】
ガイド部材２１はファンケース７と一体構造であり、本実施の形態のようなガイドを必要とする場合でも他のガイド部材や、箱体への追加工を必要としない。また、材料自体も樹脂であるために、成形後の形状に自由度が大きく、用途に合わせて設計段階で形状を自由に変えることができる。
【００４２】
以上がガイド部材２１の詳細構造である。
【００４３】
続いて、図１、図３、図４、図５を参照しながらガイド部材２１の取り付け、及びアダプター３と箱体１との接続について説明する。
【００４４】
まず、図３に示すように、ファンケース７を箱体１に取り付ける動作について説明する。
【００４５】
箱体１と送風部２を組付けた状態では、箱体１に備え付けられた貫通孔１２から湾曲部２２が突出する。そのため、組付け時に送風部２を下視面より、鉛直方向に箱体１を挿入する場合に湾曲部２２が箱体１内部に収まらない。つまり、隣接側面１ａが突起部２１ｂ（特に弾性を有する直線部２３）を付勢することとなる。本実施の形態ではガイド部材２１と本体部７ａの間には空間２４が備えられている。これによりガイド部材２１は、箱体１の隣接側面内側に弾性変形をすることができる。言い換えると、突起部２１ｂが本体部７ａ方向にたわむ。つまり、突起部２１ｂが隣接側面１ａに押し付けられた状態で、ガイド部材２１を箱体１の内部方向に押し込むことで、箱体１と送風部２の組付けが可能となる。このようにファンケース７を箱体１に正常に取り付けた状態において、突起部２１ｂは貫通孔１２に挿入される。すなわち、貫通孔１２から湾曲部２２が突出する状態となる。
【００４６】
また、ガイド部材２１は、本体部７ａと突起部２１ｂの間に備えられた空間２４により、隣接側面１ａ方向への弾性変形の許容可動域を拡大している。これにより、組付け時の箱体内部方向への変形量を許容できる。つまり、送風部２を箱体１内部に取り付ける際、空間２４によりガイド部材２１の破損を抑えることができる。
【００４７】
湾曲部２２は、上部曲面２２ａを備えており、箱体１に送風部２を挿入する際に上部曲面２２ａにより、箱体１内壁の入り口での引っ掛かりを低減し、よりスムーズな挿入が可能となる。
【００４８】
箱体１内部にファンケース７を取り付けた場合、湾曲部２２は隣接側面１ａに設けられた貫通孔１２に挿入されるので、取り付け位置の間違いを防止することができる。ガイド部材２１に沿ってアダプター３が箱体１の所定の位置に取り付けられるので、アダプター３と吹出口５近傍との密着性を高めることができる。突起部２１ｂはアダプター３の凹部内周壁に接触することで、アダプター３を所定の位置に誘導することができる。
【００４９】
アダプター３はガイド部材２１の上部曲面２２ａにより、組付け時にガイド部材２１の反対方向に、引っ張られながら箱体１に取り付けられる。アダプター側端部３ｂは簡易上面図４０に示すような形状である。アダプター側端部３ｂは上記の流れでアダプター３が取り付けられた時のストッパーとして機能する。
【００５０】
次に、箱体１と一体となったファンケース７を、天井面にあらかじめ設置されているアダプター３に取り付ける動作について説明する。
【００５１】
図１に示すように箱体１は、隣接側面１ａにおいて、中央よりも上方、つまり天面側に貫通孔１２を備える。これに伴い、ガイド部材２１も箱体１の天面側に位置することとなる。施工時には、箱体１を天井付近に取り付けたアダプター３に取り付ける際、天井材が施工者の遮蔽物となる場合がある。しかし、ガイド部材２１が箱体１の天面側にあることで、施工時にガイド部材２１がアダプター３のガイド部３ａに挿入できているかを、施工者が視認できる。
【００５２】
貫通孔１２に湾曲部２２が貫通している状態において、ガイド部材２１は、アダプター３に設けられているガイド部材２１の凹形状内周壁に接触してガイドする。ガイド部３ａの凹形状内周壁へ突起部２１ｂを挿入した状態で、箱体１を持ち上げることで、ガイド部内周壁をガイド部材２１が摺動し、ガイド部３ａに沿って所定の位置に箱体１を取り付けることができる。これによりスムーズな取り付けが可能となり、施工性を改善することができる。
【００５３】
一方、箱体１からファンケース７を取外す際には、下部曲面２２ｂを接触させながら、貫通孔１２から湾曲部２２を抜くことになるので、スムーズに取り外すことができる。
【００５４】
なお、本実施の形態では貫通孔は１つのみだが、成形するガイド部材の数に応じて設置数を増やしても良い。
【００５５】
ガイド部材２１の変形は弾性変形であり、箱体内部に挿入後は押し込まれる前の状態に戻ろうとするので、箱体１の隣接側面１ａ内壁に接触することになる。隣接側面１ａ内壁に接触した状態かつ、内壁側から外壁側に力が働いた状態で、鉛直方向に移動させ組付けることとなるが、突起部２１ｂには後述する湾曲部２２が設けてあるので、箱体１への送風部２の取り付け及び取り外しにおいて、隣接側面１ａ内壁が傷つきにくい。
【００５６】
また、貫通孔１２に達した時、貫通孔１２の縁にバリが存在する可能性があるが、上部曲面２２ａによりなめらかに貫通孔１２へ挿入され、バリが引っ掛かる可能性を低減することができる。
【００５７】
湾曲部２２は、膨出が最大となる頂部よりさらに接続部２１ａ側に向けて漸次隣接側面１ａ側への膨出が小さくなる下部曲面２２ｂを備える。メンテナンス等のためにファンケース７を箱体１から取り外す場合、下部曲面２２ｂの膨出が小さい方から取り出すことになるので、隣接側面１ａ内壁及び貫通孔１２の縁に突起部２１ｂが引っ掛かる可能性を低減することができる。
【００５８】
送風機から発生する振動は主に、送風部２で発生する。送風部２のファンケース７と、一体成型されているガイド部材２１は、箱体１の貫通孔１２を貫通して、アダプター３のガイド部内周面に接触する。アダプター３と箱体１およびファンケース７とは、明記していないネジ等により固定されている。よって送風部２から発生した振動をアダプター３に伝えることで、箱体１での振動を低減することができる。
【００５９】
ファンケース７は箱体１における高さ方向の中央より下部で箱体１に固定され、貫通孔１２は、箱体１における高さ方向の中央より上部に設けられる。これにより、ファンケース７と箱体１は、箱体１の下部で固定されることに加え、貫通孔１２と突起部２１ｂとにより上部でも固定されることとなり、接続がより安定する。
【産業上の利用可能性】
【００６０】
本発明に係る換気装置は、アダプターと箱体とが独立して構成された換気装置において、施工性を改善すると共に、気密性を高めることができるものとして有用である。
【符号の説明】
【００６１】
１    箱体
１ａ    隣接側面
２    送風部
３    アダプター
３ａ    ガイド部
３ｂ    アダプター側端部
４    吸込口
５    吹出口
６    排気風路
７    ファンケース
７ａ    本体部
８    モーター
９    ファン
１０    電装基板ケース
１０ａ    電装基板ベース
１０ｂ    電装基板カバー
１１    モーターサポート
１２    貫通孔
１３    アダプタープレート
１４    ダクト接続部
１５    オリフィス部
２１    ガイド部材
２１ａ    接続部
２１ｂ    突起部
２２    湾曲部
２２ａ    上部曲面
２２ｂ    下部曲面
２３    直線部
２４    空間
３０    換気装置
４０    簡易上面図
４１    凹形状
【図１】
2020046150.tif 000003
【図２】
2020046150.tif 000004
【図３】
2020046150.tif 000005
【図４】
2020046150.tif 000006
【図５】
2020046150.tif 000007
【図６】
2020046150.tif 000008